(57)【特許請求の範囲】
【請求項１】
内側摺動部材と、
内側摺動部材に複数の軸受によって摺動可能に連結された外側摺動部材であって、内側摺動部材を当該外側摺動部材から長手方向に延出できるようにしている外側摺動部材と、
内側摺動部材と外側摺動部材との間に配設され、軸受を相互に離間した関係位置に保持する開口を有し、また突起を含んでいる軸受保持具と、
外側摺動部材に取付けられ、内側摺動部材が外側摺動部材の前端から長手方向に引出された時に、前記前端に近接して前記軸受保持具を保持するために前記突起を受入れるような凹所を有している案内ブロック、
とを具備している引出し摺動体。
【請求項２】
前記突起と前記凹所がそれぞれ、凹所が突起を受入れた時に突起が案内ブロックに接触しないような大きさと形状とを有している請求項１に記載の引出し摺動体。
【請求項３】
軸受保持具がウェブとウェブから実質的に直角に延びるフランジとを具備し、該フランジが軸受を保持する開口を有し、前記突起がウェブから延びている請求項２に記載の引出し摺動体。
【請求項４】
軸受保持具がウェブとウェブから実質的に直角に延びるフランジとを具備し、該フランジが軸受を保持する開口を有し、延長部材が前記ウェブから延び、前記突起が該延長部材から延びている請求項２に記載の引出し摺動体。
【請求項５】
軸受保持具が頂上部分で形成されたウェブと、頂上部分に実質的に平行な２つの走行部と、それぞれが該走行部の１つを頂上部分に連結する２つの傾斜部分と、走行部から実質的に直角に延びるフランジとを具備し、該フランジが軸受を保持する開口を有し、突起が走行部の１つから延びている請求項２に記載の引出し摺動体。
【請求項６】
案内ブロックが、軸受保持具の長手方向の運動を軸受保持具のフランジと接触することにより制限するストッパブロックを含んでいる請求項３に記載の引出し摺動体。
【請求項７】
軸受保持具のウェブとフランジが、凹所が突起を受入れた時案内ブロックの外部に接触しない請求項３に記載の引出し摺動体。
【請求項８】
軸受保持具が頂上部と走行部と傾斜部分とを具備し、凹所が突起を受入れた時フランジが案内ブロックと接触しない請求項５に記載の引出し摺動体。
【請求項９】
内側部材垂直ウェブと、内側部材垂直ウェブの上側及び下側の縁からそれぞれほぼ水平に延びる上側及び下側の垂直方向外側を向く軸受軌道を形成する上側及び下側のアームとを有する内側摺動部材と、
外側部材垂直ウェブと、外側部材垂直ウェブの上側及び下側の縁からそれぞれほぼ水平に延びる上側及び下側の垂直方向内側を向く軸受軌道を形成する上側及び下側のアームとを有する外側摺動部材であって、前記内側摺動部材が当該外側摺動部材の前端から延出できる外側摺動部材と、
上側の垂直方向内側を向く軸受軌道と上側の垂直方向外側を向く軸受軌道とに転動係合する複数の上側軸受と、
下側の垂直方向内側を向く軸受軌道と下側の垂直方向外側を向く軸受軌道とに転動係合する複数の下側軸受と、
上側フランジと、下側フランジと、上側フランジと下側フランジとを連結し上側軸受が上側フランジの開口に配置され下側軸受が下側フランジの開口に配置されるようにする連結部材と、連結部材から延びる突起、とを有する軸受保持具と、
外側摺動部材の外側部材垂直ウェブに取付けられ、前記外側摺動部材の前記前端に近接して前記軸受保持具を保持するために、突起を緩い嵌め合い係合で受入れるような凹所を含んでいる案内ブロック、
とを具備している引出し摺動体。
【請求項１０】
内側部材垂直ウェブと、内側部材垂直ウェブの上側及び下側の縁からそれぞれほぼ水平に延びる上側及び下側の垂直方向外側を向く内側軸受軌道を形成する上側及び下側のアーム、とを有する内側摺動部材と、
外側部材垂直ウェブと、外側部材垂直ウェブの上側及び下側の縁からほぼ水平に延びる上側及び下側のアームとを有する外側摺動部材と、
中間部材垂直ウェブと中間部材垂直ウェブの上側及び下側の縁からそれぞれほぼ水平に延びる上側及び下側のアームとを有し、上側のアームが上側の垂直方向外側を向く軸受軌道と上側の垂直方向内側を向く軸受軌道とを形成し、下側アームが下側の垂直方向外側を向く軸受軌道と下側の垂直方向内側を向く軸受軌道とを形成する、中間摺動部材であって、前記内側摺動部材が当該中間摺動部材の前端から延出できる中間摺動部材と、
外側摺動部材の上側及び下側の軸受軌道と中間摺動部材の上側及び下側の垂直方向外側を向く外側の軸受軌道とにそれぞれ転動係合する複数の上側及び下側の外側軸受と、
内側摺動部材の上側及び下側の垂直方向外側を向く内側軸受軌道と中間摺動部材の下側の垂直方向内側を向く内側軸受軌道とにそれぞれ転動係合する複数の上側及び下側の内側軸受と、
上側フランジと、下側フランジと、上側フランジと下側フランジとを連結し、垂直ウェブを形成する少なくとも一部分を有し上側の内側軸受が上側フランジの開口に配置され下側の内側軸受が下側フランジの開口に配置されるようにする連結部材、とを有する軸受保持具と、
軸受保持具の垂直ウェブから水平に延びる突起と、
中間摺動部材の垂直ウェブに取付けられ、前記中間摺動部材の前記前端に近接して前記軸受保持具を保持するために、突起を緩い嵌め合い係合で受入れるような凹所を含んでいる案内ブロック、
とを具備している引出し摺動体。
【請求項１１】
軸受保持具がさらに、
連結部材の部分から延び、突起がそこから延びるようにしている延長部材
を具備している請求項１０に記載の引出し摺動体。
【請求項１２】
内側部材垂直ウェブと、内側部材垂直ウェブの上側及び下側の縁からそれぞれほぼ水平に延びる上側及び下側の垂直方向外側を向く軸受軌道を形成する上側及び下側のアーム、とを有する内側摺動部材と、
外側部材垂直ウェブと、外側部材垂直ウェブの上側及び下側の縁からそれぞれほぼ水平に延びる上側及び下側の垂直方向内側を向く軸受軌道を形成する上側及び下側のアーム、とを有する外側摺動部材であって、前記内側摺動部材が当該外側摺動部材の前端から延出できる外側摺動部材と、
上側の垂直方向内側を向く軸受軌道と上側の垂直方向外側を向く軸受軌道とに転動係合する複数の上側軸受と、
下側の垂直方向内側を向く軸受軌道と下側の垂直方向外側を向く軸受軌道とに転動係合する複数の下側軸受と、
上側フランジと、下側フランジと、連結部材と、上側フランジと下側フランジとを連結部材に連結する上側及び下側の走行部とを有し、連結部材が垂直ウェブを形成する少なくとも一部を有し、上側軸受が上側フランジの開口に配置され下側軸受が下側フランジの開口に配置されるようにし、上側及び下側の走行部が上側及び下側の突起を含んでいる、軸受保持具と、
外側摺動部材の外側部材垂直ウェブに取付けられ、前記外側摺動部材の前記前端に近接して前記軸受保持具を保持するために、上側及び下側の突起を緩い嵌め合い係合で受入れるような上側及び下側の凹所を含んでいる、案内ブロック、
とを具備している引出し摺動体。
【請求項１３】
内側部材垂直ウェブと、内側部材垂直ウェブの上側及び下側の縁からそれぞれほぼ水平に延びる上側及び下側の垂直方向外側を向く内側摺動軸受軌道を形成する上側及び下側のアーム、とを有する内側摺動部材と、
外側部材垂直ウェブと、外側部材垂直ウェブの上側及び下側の縁からほぼ水平に延びる上側及び下側のアーム、とを有する外側摺動部材と、
中間部材垂直ウェブと、中間部材垂直ウェブの上側及び下側の縁からそれぞれほぼ水平に延びる上側及び下側のアーム、とを有し、上側アームが上側の垂直方向外側を向く軸受軌道と上側の垂直方向内側を向く軸受軌道とを形成し、下側アームが下側の垂直方向外側を向く軸受軌道と下側の垂直方向内側を向く軸受軌道とを形成する、中間摺動部材であって、前記内側摺動部材が当該中間摺動部材の前端から延出できる中間摺動部材と、
外側摺動部材の上側及び下側の軸受軌道と中間摺動部材の上側及び下側の垂直方向外側を向く外側軸受軌道とにそれぞれ転動係合する複数の上側及び下側の外側軸受と、
内側摺動部材の上側及び下側の垂直方向外側を向く内側軸受軌道と中間摺動部材の上側及び下側の垂直方向内側を向く内側軸受軌道とにそれぞれ転動係合する複数の上側及び下側の内側軸受と、
上側フランジと、下側フランジと、連結部材と、上側フランジと下側フランジとを連結部材に連結する上側及び下側の走行部とを有し、連結部材が垂直ウェブを形成する少なくとも一部を有し、上側の内側軸受が上側フランジの開口に配置され下側の内側軸受が下側フランジの開口に配置されるようにし、上側及び下側の走行部が上側及び下側の突起を含んでいる、軸受保持具と、
中間摺動部材の中間部材垂直ウェブに取付けられ、前記中間摺動部材の前記前端に近接して前記軸受保持具を保持するために、上側及び下側の突起を緩い嵌め合い係合で受入れるような上側及び下側の凹所を含んでいる、案内ブロック、
とを具備している引出し摺動体。
【請求項１４】
案内ブロックがさらに、
案内ブロックから水平に延び中間摺動部材の上側及び下側の垂直方向内側に向く内側軸受軌道と接触しかつこれを充たすように垂直方向外側にわん曲され、軸受保持具が案内ブロックに向って動かされた時に、軸受保持具の水平アームに接触する一対の上側及び下側のストッパであって、内側摺動部材の上側及び下側の垂直方向外側を向く軸受軌道にそれぞれ接触するよう垂直方向内側にわん曲され引出し摺動体への挿入時に内側摺動部材を案内する、一対の上側及び下側のストッパ
を具備している請求項１３に記載の引出し摺動体。
【請求項１５】
案内ブロックがさらに、
中間摺動部材の端部に最も近い凹所の後側で水平に延びるストッパブロックであって、軸受保持具が案内ブロックに向って動かされた時に、軸受保持具の垂直ウェブが当該ストッパブロックに接触するような大きさと形状を有している、ストッパブロック
を具備している請求項５に記載の引出し摺動体。
【請求項１６】
案内ブロックの凹所が、
案内ブロックの前側平坦面に近接した中間摺動部材の端部から最も遠くに位置し、案内ブロックに沿って垂直に延びかつ中間摺動部材の水平アームの水平反対方向で案内ブロックを水平に突き抜ける、前面の縁と、
中間摺動部材の端部に最も近く位置し前面の縁の後側に間隔をおいて配置され、案内ブロックに沿って垂直に延びかつ前面の縁と同じ方向と距離で案内ブロックを水平に突き抜ける後面の表面と、
前面の縁の上側及び下側の縁に直角でかつ上側及び下側の縁をそれぞれ後面の表面の上側及び下側の縁に連結し、前面の縁と同じ方向と距離で水平方向に突き抜ける上側及び下側の縁
とを具備している請求項５に記載の引出し摺動体。
【請求項１７】
軸受保持具の突起がさらに、
丸くされた縁を有しまた案内ブロックの凹所と相似であるが凹所よりも小さい大きさである請求項１３に記載の引出し摺動体。
【請求項１８】
案内ブロックが、
軸受保持具の上側及び下側の突起を受入れるような上側及び下側の凹所を含む上側受け部と下側受け部とを具備している請求項１３に記載の引出し摺動体。
【請求項１９】
軸受保持具の上側及び下側の突起が、
丸くされた縁を有し、案内ブロックの上側及び下側の凹所と相似であるが上側及び下側の凹所よりは小さな大きさである請求項１３に記載の引出し摺動体。
【請求項２０】
内側摺動部材と、
内側摺動部材に複数の軸受によって摺動可能に連結された外側摺動部材であって、内側摺動部材を当該外側摺動部材から長手方向に延出できるようにしている外側摺動部材と、
内側摺動部材と外側摺動部材との間に配設され、軸受を相互に離間した関係位置に保持する開口を有し、また突起を含んでいる軸受保持具と、
外側摺動部材に取付けられ、内側摺動部材が外側摺動部材の前端から長手方向に引出された時に前記突起を受入れるような凹所を有している案内ブロック、
とを具備し、
軸受保持具が頂上部分で形成されたウェブと、頂上部分に実質的に平行な２つの走行部と、それぞれが該走行部の１つを頂上部分に連結する２つの傾斜部分と、走行部から実質的に直角に延びるフランジとを具備し、該フランジが軸受を保持する開口を有し、突起が走行部の１つから延びている引出し摺動体。
【請求項２１】
内側部材垂直ウェブと、内側部材垂直ウェブの上側及び下側の縁からそれぞれほぼ水平に延びる上側及び下側の垂直方向外側を向く軸受軌道を形成する上側及び下側のアームとを有する内側摺動部材と、
外側部材垂直ウェブと、外側部材垂直ウェブの上側及び下側の縁からそれぞれほぼ水平に延びる上側及び下側の垂直方向内側を向く軸受軌道を形成する上側及び下側のアームとを有する外側摺動部材と、
上側の垂直方向内側を向く軸受軌道と上側の垂直方向外側を向く軸受軌道とに転動係合する複数の上側軸受と、
下側の垂直方向内側を向く軸受軌道と下側の垂直方向外側を向く軸受軌道とに転動係合する複数の下側軸受と、
上側フランジと、下側フランジと、上側フランジと下側フランジとを連結し上側軸受が上側フランジの開口に配置され下側軸受が下側フランジの開口に配置されるようにする連結部材と、連結部材から延びる突起、とを有する軸受保持具と、
外側摺動部材の外側部材垂直ウェブに取付けられ、突起を緩い嵌め合い係合で受入れるような凹所を含んでいる案内ブロック、
とを具備し、
軸受保持具が頂上部分で形成されたウェブと、頂上部分に実質的に平行な２つの走行部と、それぞれが該走行部の１つを頂上部分に連結する２つの傾斜部分と、走行部から実質的に直角に延びるフランジとを具備し、該フランジが軸受を保持する開口を有し、突起が走行部の１つから延びている引出し摺動体。
【請求項２２】
内側部材垂直ウェブと、内側部材垂直ウェブの上側及び下側の縁からそれぞれほぼ水平に延びる上側及び下側の垂直方向外側を向く内側軸受軌道を形成する上側及び下側のアーム、とを有する内側摺動部材と、
外側部材垂直ウェブと、外側部材垂直ウェブの上側及び下側の縁からほぼ水平に延びる上側及び下側のアームとを有する外側摺動部材と、
中間部材垂直ウェブと中間部材垂直ウェブの上側及び下側の縁からそれぞれほぼ水平に延びる上側及び下側のアームとを有し、上側のアームが上側の垂直方向外側を向く軸受軌道と上側の垂直方向内側を向く軸受軌道とを形成し、下側アームが下側の垂直方向外側を向く軸受軌道と下側の垂直方向内側を向く軸受軌道とを形成する、中間摺動部材と、
外側摺動部材の上側及び下側の軸受軌道と中間摺動部材の上側及び下側の垂直方向外側を向く外側の軸受軌道とにそれぞれ転動係合する複数の上側及び下側の外側軸受と、
内側摺動部材の上側及び下側の垂直方向外側を向く内側軸受軌道と中間摺動部材の下側の垂直方向内側を向く内側軸受軌道とにそれぞれ転動係合する複数の上側及び下側の内側軸受と、
上側フランジと、下側フランジと、上側フランジと下側フランジとを連結し、垂直ウェブを形成する少なくとも一部分を有し上側の内側軸受が上側フランジの開口に配置され下側の内側軸受が下側フランジの開口に配置されるようにする連結部材、とを有する軸受保持具と、
軸受保持具の垂直ウェブから水平に延びる突起と、
中間摺動部材の垂直ウェブに取付けられ、突起を緩い嵌め合い係合で受入れるような凹所を含んでいる案内ブロック、
とを具備し、
軸受保持具が頂上部分で形成されたウェブと、頂上部分に実質的に平行な２つの走行部と、それぞれが該走行部の１つを頂上部分に連結する２つの傾斜部分と、走行部から実質的に直角に延びるフランジとを具備し、該フランジが軸受を保持する開口を有し、突起が走行部の１つから延びている引出し摺動体。
【請求項２３】
内側部材垂直ウェブと、内側部材垂直ウェブの上側及び下側の縁からそれぞれほぼ水平に延びる上側及び下側の垂直方向外側を向く軸受軌道を形成する上側及び下側のアーム、とを有する内側摺動部材と、
外側部材垂直ウェブと、外側部材垂直ウェブの上側及び下側の縁からそれぞれほぼ水平に延びる上側及び下側の垂直方向内側を向く軸受軌道を形成する上側及び下側のアーム、とを有する外側摺動部材と、
上側の垂直方向内側を向く軸受軌道と上側の垂直方向外側を向く軸受軌道とに転動係合する複数の上側軸受と、
下側の垂直方向内側を向く軸受軌道と下側の垂直方向外側を向く軸受軌道とに転動係合する複数の下側軸受と、
上側フランジと、下側フランジと、連結部材と、上側フランジと下側フランジとを連結部材に連結する上側及び下側の走行部とを有し、連結部材が垂直ウェブを形成する少なくとも一部を有し、上側軸受が上側フランジの開口に配置され下側軸受が下側フランジの開口に配置されるようにし、上側及び下側の走行部が上側及び下側の突起を含んでいる、軸受保持具と、
外側摺動部材の外側部材垂直ウェブに取付けられ、上側及び下側の突起を緩い嵌め合い係合で受入れるような上側及び下側の凹所を含んでいる、案内ブロック、
とを具備し、
軸受保持具が頂上部分で形成されたウェブと、頂上部分に実質的に平行な２つの走行部と、それぞれが該走行部の１つを頂上部分に連結する２つの傾斜部分と、走行部から実質的に直角に延びるフランジとを具備し、該フランジが軸受を保持する開口を有し、突起が走行部の１つから延びている引出し摺動体。
【請求項２４】
内側部材垂直ウェブと、内側部材垂直ウェブの上側及び下側の縁からそれぞれほぼ水平に延びる上側及び下側の垂直方向外側を向く内側摺動軸受軌道を形成する上側及び下側のアーム、とを有する内側摺動部材と、
外側部材垂直ウェブと、外側部材垂直ウェブの上側及び下側の縁からほぼ水平に延びる上側及び下側のアーム、とを有する外側摺動部材と、
中間部材垂直ウェブと、中間部材垂直ウェブの上側及び下側の縁からそれぞれほぼ水平に延びる上側及び下側のアーム、とを有し、上側アームが上側の垂直方向外側を向く軸受軌道と上側の垂直方向内側を向く軸受軌道とを形成し、下側アームが下側の垂直方向外側を向く軸受軌道と下側の垂直方向内側を向く軸受軌道とを形成する、中間摺動部材と、
外側摺動部材の上側及び下側の軸受軌道と中間摺動部材の上側及び下側の垂直方向外側を向く外側軸受軌道とにそれぞれ転動係合する複数の上側及び下側の外側軸受と、
内側摺動部材の上側及び下側の垂直方向外側を向く内側軸受軌道と中間摺動部材の上側及び下側の垂直方向内側を向く内側軸受軌道とにそれぞれ転動係合する複数の上側及び下側の内側軸受と、
上側フランジと、下側フランジと、連結部材と、上側フランジと下側フランジを連結部材に連結する上側及び下側の走行部とを有し、連結部材が垂直ウェブを形成する少なくとも一部を有し、上側の内側軸受が上側フランジの開口に配置され下側の内側軸受が下側フランジの開口に配置されるようにし、上側及び下側の走行部が上側及び下側の突起を含んでいる、軸受保持具と、
中間摺動部材の中間部材垂直ウェブに取付けられ、上側及び下側の突起を緩い嵌め合い係合で受入れるような上側及び下側の凹所を含んでいる、案内ブロック、
とを具備し、
軸受保持具が頂上部分で形成されたウェブと、頂上部分に実質的に平行な２つの走行部と、それぞれが該走行部の１つを頂上部分に連結する２つの傾斜部分と、走行部から実質的に直角に延びるフランジとを具備し、該フランジが軸受を保持する開口を有し、突起が走行部の１つから延びている引出し摺動体。
【発明の詳細な説明】
【０００１】
発明の背景
本発明は一般に引出し摺動体に関し、さらに詳細には引出し摺動体のための軸受保持具保持装置に関する。
【０００２】
引出しその他のための入れ子式摺動体はしばしばキャビネットや他の棚が取付けられた用途に用いることが望まれる。このような摺動体は引出しの内部に容易に接近できるようにする。これらの摺動体は引出しをキャビネットからどれほど遠くまで引出すかに関係なく水平方向の位置で保持する。典型的な引出し摺動体は２つ又は３つの摺動部材を有し、これら摺動部材はその上に形成された軌道に乗る組の軸受によって摺動可能に、すなわち転動するように連結されている。一組の軸受の内部の個々の軸受は多くは軸受保持具によって相互に対し相対位置に保持されている。
【０００３】
１つの型の引出し摺動体は入れ子式引出し摺動体である。ある入れ子式引出し摺動体においては引出し摺動体を構成する種々の摺動部材が相互に入れ子式に重ねられ、伸縮可能に延びている。説明のため、外側の摺動部材がキャビネット又は囲いに連結されるが、内側摺動部材を代わりにキャビネットなどに連結してもよいことが認められる。外側摺動部材がキャビネット又は囲いに連結された時は、引出しに取付けられた摺動部材が内側摺動部材である。３つの要素の入れ子式摺動体は付加的に平常時は外側摺動部材と内側摺動部材とにその間で連結された中間の摺動部材を含んでいる。
【０００４】
外側摺動部材、内側摺動部材又は中間摺動部材の各引出し摺動部材は一般に、上側の縁と下側の縁から水平方向に延びる軸受軌道を有する垂直のウェブを具備している。さらに、２つの要素の引出し摺動体にとって、外側と内側の摺動部材を摺動可能に連結する軸受は多くは共通の軸受保持具によって保持される。３要素の引出し摺動体に対しては、垂直方向で最も内側の組の軸受と内側及び中間の摺動部材を摺動可能に連結する軸受とが共通の軸受保持具によって保持されることが多い。これらの共通の軸受保持具は一般に引出し摺動部材を鏡に映した形状にする。したがって、共通の軸受保持具はまた垂直のウェブとこの垂直ウェブの上側及び下側の縁から延び軸受を保持するフランジとを有している。
【０００５】
外側摺動部材は一般にねじ又は他の手段によりキャビネットに固定するよう取付けられまた内側摺動部材も引出しに固定するよう取付けられる。しばしば１つの機構が設けられそれにより内側摺動部材が外側摺動部材から外すことができるようにし引出しがキャビネットから全部取外されるようにする。この機構はまた引出しをキャビネットに再度挿入することができるようにし、そのため内側摺動部材が外側摺動部材の内部に再度挿入するのが必要となるようにしなければならない。内側摺動部材を外側摺動部材の内部に再度挿入する工程は、軸受保持具がキャビネットの開口の方を向く外側摺動部材の前端に近い位置に保持されそれにより軸受保持具によって保持された軸受が摺動部材のための挿入案内として作用するようにした場合に、さらに容易に達成される。さらに、軸受保持具がこのような位置に保持されなかった場合には再度の挿入工程の間の内側摺動部材の外側摺動部材に対する不整列のため内側摺動部材と軸受保持具との間に偶然の接触を生じるようになる。内側摺動部材は軸受保持具よりも著しく大きい厚さを有しているため、この接触は軸受保持具に損傷を与えることになる。したがって、内側摺動部材が外側摺動部材から取外される時に軸受保持具を外側摺動部材の前方に保持することが必要となる。
【０００６】
外側摺動部材をキャビネットに取付ける普通の方法は外側摺動部材の垂直ウェブにねじ孔を設け、このねじ孔を摺動体をキャビネットに取付けるのに用いることである。同様な方法で、内側摺動部材が引出しに取付けられる。このような摺動部材をキャビネット又は引出しに取付ける方法はしかし問題がないとは云えない。摺動体が延びていない時にねじ孔への接近はしばしば困難である。外側摺動部材のねじ孔への接近は外側摺動部材のウェブがキャビネットに当接して置かれている時に内側摺動部材によって邪魔される。同様に、内側摺動部材のねじ孔への接近は内側摺動部材のウェブが引出しに当接して置かれた時に外側摺動部材によって邪魔される。内側摺動部材が延ばされることによりこの困難性は軽減されるが、この延ばされた摺動体は偶然に損傷を受け又はその突出した状態により人に傷害を与えることがある。内側引出し摺動体を延ばすことはまた、キャビネット又は囲いの範囲から外に広がる延びた内側摺動部材により引出し摺動体を取付けるためのより大きな作業空間を必要とすることになる。さらにまた、延びた引出し摺動体はレバー腕として作用する。延びた引出し摺動体の重量により引出し摺動体は取付け点の周りに回動するようになる。この回動は引出し摺動体をこれが取付けられるときに傾斜させそれにより引出し摺動体の不整列の取付けが生じることになる。
【０００７】
他の取付けの方法も可能であるが、これらの他の方法もまた問題を有している。例えば、フランジが外側摺動部材に一体に形成され、このフランジはフランジをキャビネットに取付けるためのねじ孔を有している。このほかに、取付けブラケットが外側摺動部材に溶接され、この取付けブラケットは同様に取付けブラケットをキャビネットに取付けるためのねじ孔を有している。しかし一体に形成されたフランジ又は取付けブラケットの使用は余分の材料の使用を必要としまた余分の製造段階を必要とし、そのため引出し摺動体のコストを増すことになる。さらに、フランジと取付けブラケットは引出し摺動体の大きさ又は行程を増大させ、好ましくないものとなる。
【０００８】
さらにまた、引出し摺動体のキャビネットと引出しへの取付けはしばしば別々に行われ外側及び内側の摺動部材はキャビネットと引出しとにそれぞれ取付けられた後に接合されるだけである。したがって、また前に述べたように、引出し摺動体の外側及び内側部材もまた分離可能でなければならない。引出し摺動体のこの分離は外側摺動部材のねじ孔と内側摺動部材のねじ孔への接近ができるようにし、また延びた引出し摺動部材に伴う問題をなくする。
【０００９】
しかし引出し摺動体が分離されたとしても、摺動部材を摺動可能に連結するボール軸受を保持する軸受保持具が存在している。この軸受保持具はまた外側摺動部材の垂直ウェブのねじ孔への接近を妨げる。軸受保持具の垂直ウェブに開口を形成するのがねじ孔に接近ができるようにする１つの方法である。軸受保持具の垂直ウェブが引出し摺動体の荷重担持部分ではなく代わりに軸受を正しい相対位置に保持する作用をするだけであるため、接近孔は大きくなる。
【００１０】
しかし接近孔を大きくしても、軸受保持具は依然として摺動部材に対し正しく位置しねじ孔に接近できるようにしなければならない。さらに、軸受保持具は、軸受保持具と摺動部材の開口が最初整列されていたとしても、軸受保持具の運動により軸受保持具接近孔とねじ孔の不整列を生じるため取付け操作の間は動かないよう拘束されるようにしなければならない。しかし、この拘束された軸受保持具における僅かな量の遊びがまた必要となる。
【００１１】
発明の概要
本発明は内側摺動部材と外側摺動部材とを有する引出し摺動体を提供する。内側摺動部材と外側摺動部材はそれぞれ垂直のウェブとウェブの上側及び下側の縁からほぼ水平方向に延びる上側及び下側の軌道を形成する上側及び下側のアームとを有している。複数の軸受がウェブと転動して係合するようになっており、これらの軸受は軸受保持具に配設され開口とフランジは軸受保持具の垂直ウェブから延びている。案内ブロックが外側部材の垂直ウェブに取付けられ、この案内ブロックは軸受保持具の突起を緩い嵌め合い係合で受け入れる凹所を含んでいる。
【００１２】
本発明の付随の特徴の多くは、本発明が以下の詳細な記載を参照しまた同一の参照符号が全体を通して同一の部分を示す添付図面に関連して考察することによって、さらに容易に理解されるであろう。
【００１３】
詳細な記載
図１は入れ子式引出し摺動体の側面図を示す。図１の引出し摺動体は外側摺動部材１１と中間摺動部材２１と内側摺動部材３１とを有する３つの要素の入れ子式引出し摺動体である。外側、中間及び内側の摺動部材は軸受１９と２９によって摺動可能に連結され、中間摺動部材は外側摺動部材の内部に重ねられまた内側摺動部材は中間摺動部材の内部に重ねられている。これらの摺動部材は相互に長手方向に延伸可能である。摺動部材はそれぞれ垂直方向の高さを大きく超える長手方向の長さ（図１には示されていない）を有している。ここで用いられるように、長手方向、垂直方向及び水平方向は大体において直角でありまた本発明の構造の相対位置を記載する目的で用いられるものである。
【００１４】
外側摺動部材は垂直ウェブ１３を有している。水平アーム１５ａ，１５ｂが垂直ウェブ１３の上側及び下側の縁から同じ方向に延びている。リップ１７ａ，１７ｂが水平アーム１５ａ，１５ｂから垂直方向内側に延びている。水平アーム、リップ及び垂直ウェブはそのため上側及び下側のＵ字形溝の軸受軌道をつくり出す。このＵ溝軸受軌道は上側及び下側の軸受１９を包囲しまたこれら軸受１９に転動するよう係合している。
【００１５】
外側軸受１９はまた中間摺動部材の軸受軌道と転動係合している。外側軸受１９はしたがって外側及び中間の摺動部材に摺動可能に連結する。中間摺動部材は垂直ウェブ２３と垂直ウェブ２３の上側及び下側の縁から延びる水平アームとを有している。水平アームは中間摺動部材２１の上側及び下側の垂直方向外側に向く外側軸受軌道２５ａ，２５ｂを形成する垂直ウェブ２３の近くの垂直方向内側のわん曲部を有している。外側軸受１９は外側軸受軌道２５ａ，２５ｂと転動係合している。水平アームの垂直方向内側の凹面わん曲部には上側及び下側の垂直方向内側に向く内側軸受軌道２７ａ，２７ｂを形成する垂直方向外側の凹面わん曲部が続いている。内側軸受２９は中間摺動部材の内側軸受軌道２７ａ，２７ｂと転動係合する。内側軸受は軸受保持具４１により相互に相対位置に保持されている。
【００１６】
内側摺動部材は垂直ウェブ３３と垂直ウェブ３３の頂部及び底部から延びる水平アーム３４ａ，３４ｂとを有している。水平アームは垂直方向外側の凹面の軸受軌道３５ａ，３５ｂを形成する垂直方向内側を向くわん曲部を有している。内側軸受２９は内側摺動部材３１の垂直方向外側の軌道３５ａ，３５ｂと転動係合する。
【００１７】
軸受保持具４１は中間摺動部材２１の断面と実質的に同様の断面を有している。軸受保持具４１は垂直ウェブを形成する連結部材４７と連結部材４７の上側及び下側の縁から水平に延びる上側及び下側の外側フランジ４３ａ，４３ｂとを有している。連結部材４７の上側及び下側の外側フランジ４３ａ，４３ｂは内側軸受２９を包囲する開口（図２に示されている）を含んでいる。
【００１８】
図２は外側、中間及び内側の摺動部材を有する引出し摺動体を示す。引出し摺動体は、中間摺動部材が内側摺動部材と外側摺動部材とから延出し、軸受保持具が内側摺動部材から延出し内側摺動部材と中間摺動部材との間にあるようにして、示されている。このような上記の摺動体と軸受保持具との相対位置を有する状態は通常は引出し摺動体の作動中には生じないが、図２では本発明の理解を助けるために示されている。外側摺動部材は図１について上記したように中間摺動部材２１に摺動可能に連結されている。中間摺動部材は上記のように内側摺動部材に摺動可能に連結されている。
【００１９】
案内ブロック６８が中間摺動部材２１に取付けられている。案内ブロック６８は中間摺動部材２１の断面と同様の断面形状を有している。案内ブロックは垂直ウェブと垂直ウェブの上側及び下側の縁から水平方向に延びる上側及び下側のストッパ９１ａ，９１ｂを有している。
【００２０】
軸受保持具４１は上記のように中間摺動部材２１に摺動可能に連結されている。軸受保持具は垂直ウェブを形成する連結部材４７を有している。連結部材４７の一部から軸受保持具４１に沿って平面の延長部材６１が延びている。突起６３が延長部材６１の上にある。案内ブロック６８の凹所６７が突起６３を受入れるようになっている。延長部材６１の突起６３と案内ブロック６８の凹所６７とはある程度同様の形状を有している。
【００２１】
内側摺動部材が引出し摺動体から取外された時、内側摺動部材は軸受保持具を案内ブロックを越えて前方に引き又は運ぶ。軸受保持具４１が案内ブロックを越えて動くにつれて延長部材、したがってその突起が凹所６７を越えて動く。最終的には突起が運ばれ凹所の中に落ち込む。軸受保持具がさらに前方に移動すると軸受保持具とストッパとの間の接触により又は突起と凹所の後壁９３（図４に示されている）との間の接触により阻止される。
【００２２】
図３は軸受保持具の突起を示す。すでに記載されているように、軸受保持具は連結部材と連結部材の頂部と底部とから延びる上側及び下側の外側フランジとを有している。延長部材６１は連結部材４７から延びている。延長部材の後方部分６０は連結部材に近接している。延長部材６１の前縁６２が連結部材からの末端である。
【００２３】
図３に示されるように、突起は延長部材から外側摺動部材に向って突出している。突起は長手方向の長さより大きな幅を有する長楕円形状である。突起は丸くされた縁７１ａ，７１ｂを有する。丸くされた縁７１ａ，７１ｂは突起と案内ブロックとの間の接触により生じる僅かな摩擦接触面を突起６３が通過して動くのを容易にする。これとは逆に、軸受保持具が案内ブロック６８から離れるよう動かされるにつれて、丸い突起の縁７１ａ，７１ｂが突起の凹所６７からの脱出を容易にする。さらに、図示されていないが、延長部材６１は突起が軸受保持具の連結部材４７から突出するようにして、取外しできる。
【００２４】
図４は案内ブロック６８を示す。すでに記載されたように、案内ブロックは垂直のウェブと垂直のウェブの上側及び下側の縁から水平方向に延びる上側及び下側のストッパ９１ａ，９１ｂを有している。上側及び下側のストッパ９１ａ，９１ｂは垂直外側方向にわん曲し、それぞれ中間摺動部材（図２に示されるような）の上側及び下側の垂直方向内側に向く内側軸受軌道２７ａ，２７ｂを充たすようにする。ストッパ９１ａ，９１ｂは軸受保持具の上側及び下側の外側フランジ４３ａ，４３ｂと垂直ウェブの一部とに接触し、それにより軸受保持具が案内ブロック６８に向って動かされた時軸受保持具４１の運動を停止させるようにする。
【００２５】
上側及び下側のストッパ９１ａ，９１ｂは上側の垂直方向内側のわん曲部９２ｂと下側の垂直方向内側のわん曲部９２ｂとを含んでいる。垂直方向内側のわん曲部は内側摺動部材を、内側（２部材の摺動体と考えられる）摺動部材の軌道３５ａ，３５ｂに接触することにより外側又は中間の摺動部材に挿入されるときに案内する。さらに、案内レール９４が案内ブロック６８から水平方向に延びている。内側摺動部材３１が挿入されるにつれて、案内レールは内側摺動部材の水平アームの１つと接触しそれにより内側摺動部材の横方向の運動を制限する。したがって、ストッパ９１ａ，９１ｂは案内レールと関連して、内側摺動部材の引出し摺動体の残りの部分への挿入を案内するのを助ける。
【００２６】
案内ブロック６８の垂直ウェブは外側摺動部材に近接して置かれるようになっている下側表面９６と上側表面９８とを含んでいる。案内ブロックが外側摺動部材（２部材の摺動体）又は中間摺動部材（３部材の摺動体）に取付けられた時、上側表面は軸受保持具の連結部材４７に接触するには不十分な外側（又は中間）摺動部材からの距離にある。案内ブロックはまた前縁９０を含んでいる。前縁９０の上側表面は面取りすることができる。上側表面の内部に凹所６７がある。凹所６７は案内ブロックに沿って垂直方向に延び案内ブロックを突抜ける前面の縁９７によって区画形成されている。凹所６７は後面の表面９３で終わっている。後面の表面９３は案内ブロックに沿って垂直方向に延びている。側縁表面１００ａ，１００ｂが凹所６７の側面を形成し、また前面の縁９７を後面の表面９３に連結する。側縁表面１００ａ，１００ｂと前面の縁９７と後面の表面９３とによって区画形成された容積は凹所６７を形成する。
【００２７】
引出し摺動体の平常の作動の間突起は凹所の内部に位置していない。代わりに、軸受保持具が案内ブロックに接近しているが案内ブロックには当接しない位置への長手方向の運動が制限されている。しかしこの状態は内側摺動部材が他の摺動部材から取外された時に変わる。この取外しとその効果とは２部材の摺動体について以下に記載される。
【００２８】
内側摺動部材が内側摺動部材を外側摺動部材を通過して延出させることにより外側摺動部材から取外される。内側摺動部材の外側摺動部材を通過する延出は一般に、ある種の掛止め機構の使用を必要とし、この掛止め機構は当該技術においては周知である。内側摺動部材が外側摺動部材を通過して延出された時内側摺動部材はボール軸受の転動係合を生じる摩擦力を介して軸受保持具をさらにその平常の走行長さを超えて長手方向に引く。この余分の走行は凹所の中に位置している軸受保持具に突出をもたらす。
【００２９】
案内ブロックの後面の表面９３は延長部材６１の前縁６２との接触により案内ブロックに向う軸受保持具の運動を制限する。すでに記載したように、丸い突起の縁７１ａ，７１ｂと凹所６７の前面の縁９７との接触は軸受保持具４１が案内ブロック６８から離れる運動をなくする。軸受保持具４１に案内ブロック６８から離れるように加えられた小さな量の並進力は突起６３と凹所６７との緩い係合を解放させる。この小量の並進力は内側摺動部材が外側摺動部材に再度挿入された時に加えられる。
【００３０】
図５は軸受保持具４１が案内ブロックの凹所の中に突起があるように配置された引出し摺動体を示す。前縁６２は案内ブロックの後面の表面９３と接触している。突起が凹所の中にあることにより、軸受保持具の垂直ウェブの開口が整列され外側摺動部材１１のねじ孔を露出させるようにする。
【００３１】
図５に示される係合位置では突起は凹所が突起より寸法が大きいため凹所の縁とは接触していない。したがって、軸受保持具は凹所が突起よりも寸法が大きいためある程度の運動が可能となる。この結果突起は緩い嵌め合い係合となり軸受保持具のある程度の運動ができるが、しかし軸受保持具は突起が凹所の中に延出することにより大きく制限される。
【００３２】
図６は凹所に係合された突起の底面図を示す。凹所１００ａ，１００ｂの側面は突起７３ａ，７３ｂの側面の間の距離よりも大きく離間されている。突起は凹所と実質的に同心であり、突起の大きさは凹所１００ａ，１００ｂの側面から等距離にある。したがって、突起は凹所の中に浮いており、突起は長手方向の運動のためのある程度の余地を提供しまた必要ならば横方向の運動のための余地をもたらす。
【００３３】
図７は凹所に係合した突起の切断側面図を示す。突起は凹所の中に中心が置かれ、突起７３ａ，７３ｂの側面は凹所１００ａ，１００ｂの側面から等距離にある。さらに、案内ブロックに近接した連結部材の側面である連結部材４７の底部は案内ブロックの頂部とは接触していない。これは軸受保持具が浮かぶことができるようにしまた突起は案内ブロックが連結部材を付勢し又は連結部材に接触しもしくは係合することなく、凹所の中にあるようにする。図７に示されるように、突起は凹みを作ることにより又は連結部材を型押しすることにより形成される。これに代え、突起は連結部材を単一部材の厚い材料で形成し連結部材の部分を機械加工して突起を形成するか又は連結部材の上に材料を付着もしくは堆積することにより突起を形成することにより、形成することができる。
【００３４】
図８は本発明の他の実施態様を示す。この図８の実施態様では、引出し摺動体はその種々の構成要素が図２に示される引出し摺動体のように相互に同じ相対位置にあるようにして示されている。図８の引出し摺動体ではしかし、軸受保持具４１と案内ブロック６８とが変更され２つの小さな凹みと２つの凹所とがそれぞれ軸受保持具と案内ブロックとに配置されるようにしているが、小さな凹みと凹所の各一方は代えて用いることもできる。さらに詳細には軸受保持具のウェブは帽子と同様な断面形状を有し、ウェブ４７ａの頂上部分が傾斜部分によって、ウェブの対向縁部を形成する２つの走行部６４ａ，６４ｂに連結されている。軸受保持具の上側及び下側の外側フランジが走行部６４ａ，６４ｂの対向縁でウェブから直角に延びている。図８の摺動体の軸受保持具は連結部材を含まず、代わりに小さな凹み６２ａ，６２ｂが軸受保持具の走行部に直接配置されている。
【００３５】
案内ブロックの走行部はそれぞれが凹所６０ａ，６０ｂを含んでいる。これらの凹所は軸受保持具の小さな凹みの寸法より僅かに大きな寸法でありこの小さな凹みを緩い嵌め合い係合で受入れるようになっている。
【００３６】
図９は図８の実施態様の軸受保持具を示す。図９の軸受保持具は下方に傾斜する部分１１１ａ，１１１ｂが軸受保持具の走行部６４ａ，６４ｂに繋がる頂上部分４７ａを有している。上側及び下側の外側フランジが走行部から実質的に直角に延びている。軸受保持具の長手方向端部に接近して小さな凹み７２ａ，７２ｂが走行部によって区画形成された領域の内部に置かれている。
【００３７】
図１０は図８の他の側面と共に用いられる案内ブロックを示す。図１０の案内ブロックは図４の案内ブロックとは凹所が案内ブロックの中央部の代わりに案内ブロックの走行部９８ａ，９８ｂの各々に配置されている点で異なっている。これ以外は、図１０の案内ブロックは図４の案内ブロックと同じである。さらに、材料を節約し又は軸受保持具が案内ブロックと偶然に接触することのないのをさらに保証するために、案内ブロックの中央部から材料を取除くことができる。
【００３８】
図１１は小さな凹みが凹所の内部に配置されている案内ブロックの底面図を示す。凹所の寸法は小さな凹みの寸法よりも実質的に大きくなっている。したがって、小さな凹みの縁は凹所の縁とは接触しない。これは小さな凹みが凹所の中にある時軸受保持具のある程度の運動を可能にする緩い嵌め合い係合をもたらす。さらに、図１２に示されるように、隙間が軸受保持具と案内ブロックとの間に存在しそれにより軸受保持具４１の頂上部分の大部分と軸受保持具１１１ａ，１１１ｂの下方傾斜部分と軸受保持具４１の走行部６４ａ，６４ｂとが案内ブロックの頂上部分と案内ブロックの下方傾斜部分又は案内ブロックの走行部と接触しないようにする。したがって、軸受保持具は小さな凹みが凹所の中に保持された時は付勢されない。
【００３９】
したがって、本発明は軸受保持具拘束部を有する引出し摺動体を提供する。本発明は一定の特定実施態様で記載されてきたが、多くの追加の変更と変形が当業者にとって明らかとなるであろう。したがって本発明が詳細に記載されたものの他に実施できることが理解される。このように、本発明のこれら実施態様は全ての点で例示であり限定されるものではないと考えるべきであり、本発明の範囲は上記の記載によらず請求の範囲によって表わされるべきである。
【図面の簡単な説明】
【図１】  引出し摺動体の断面図である。
【図２】  本発明の軸受保持具と案内ブロックを示す引出し摺動体の斜面図である。
【図３】  図２の軸受保持具の斜面図である。
【図４】  図２の案内ブロックの斜面図である。
【図５】  案内ブロックに係合した軸受保持具を有する図２の引出し摺動体の斜面図である。
【図６】  図２の案内ブロックの凹所に置かれた図２の軸受保持具の突起の断面図である。
【図７】  図２の案内ブロックの凹所に置かれた図２の軸受保持具の突起の底面図である。
【図８】  案内ブロックの近くに軸受保持具を有する、本発明の軸受保持具と案内ブロックとを示す引出し摺動体の他の実施態様の斜面図である。
【図９】  図８の軸受保持具の斜面図である。
【図１０】  図８の案内ブロックの斜面図である。
【図１１】  図８の案内ブロックの上側及び下側の凹所の中に置かれた図８の軸受保持具の上側及び下側の突起の底面図である。
【図１２】  図８の案内ブロックの上側及び下側の凹所の中に置かれた図８の軸受保持具の上側及び下側の突起の断面図である。
【図１】
0004545935.tif 000002
【図２】
0004545935.tif 000003
【図３】
0004545935.tif 000004
【図４】
0004545935.tif 000005
【図５】
0004545935.tif 000006
【図６】
0004545935.tif 000007
【図７】
0004545935.tif 000008
【図８】
0004545935.tif 000009
【図９】
0004545935.tif 000010
【図１０】
0004545935.tif 000011
【図１１】
0004545935.tif 000012
【図１２】
0004545935.tif 000013